(57)【要約】【課題】  植木、植物へタイムリーで最良な水遣りを行うことで過給水、水不足の発生等が発生なくいつも最良な状態に保ち、エコでタイムリーに水やりを自動的に行う給水装置を提供する事を課題とする。【解決手段】  大気中の湿度（天候）に応じて水の蒸発量が比例することを応用し容器内の水を大気中の湿度に応じて蒸発させ、容器内の水位変化を検出し電磁弁を作動させタイムリーに最良な水遣りを行うことで過給水、水不足等の発生が無くいつも最良な状態を保ち、自然エネルギーの太陽光利用しエコでタイムリーな水やりを自動的に行う給水装置を提供する。【選択図】図１
2011155959.tif 000002
【特許請求の範囲】
【請求項１】
容器内に入れた水を蒸発させることで容器内の水位変化が起こる、この変化を検出するためにレベルスイッチを１個以上複数個設置し、レベルスイッチは上限水位と下限水位を個別に検出可能とし、一方のレベルスイッチは水位検出位置を固定し他方のレベルスイッチは上下の位置設定調整可能機構を付けこの容器内水位を検出し水位変化を電気信号に変換せしめる、この電気信号で電磁弁の開閉を行う、容器内の上限水位で電磁弁を閉め下限水位で電磁弁を開く動作を行う、下限水位より水位上昇方法は電磁弁出口側の水の一部を容器に注入し水位を上昇させ電磁弁を閉める、開閉時間調整は容器への水注入量を変化させることで開閉時間を調整可能とし、電磁弁の作動時間間隔は上限水位と下限水位差内の水量と大気蒸発水量との関係で決まる事を特徴とする湿度感知式給水装置。
【請求項２】
容器内の水蒸発促進のために毛細管現象を起こす布を利用し一方を容器内の水中に他方は大気解放し蒸発面積を広くする事で大気蒸発水量を促進する、布の材質は特定しない事を特徴とする請求項１の湿度感知式給水装置。
【請求項３】
請求項１の電磁弁の作動電源は太陽電池パネルを利用し電池を充電し作動電源として利用、また災害時の非常電源として使用可能な設備も設置可能な特徴を持つ請求項１，２の湿度感知式給水装置。
【請求項４】
給水容器本体１電源ボックス３０太陽電池パネル４０架台５０は各々独立させ装置設置場所に対応した組合せが可能な事を特徴とする請求項１，２，３の湿度感知式給水装置
【発明の詳細な説明】
【技術分野】
【０００１】  本発明は、天候の気温と湿度状態により水の蒸発量が変化する事を利用し容器内に水を入れ蒸発により水位変化することの利用と自然エネルギーの太陽光を利用し電磁弁作動電源として太陽電池パネルを使用する湿度感知式給水装置である。
【背景技術】
【０００２】  従来、植物植木への自動給水方法は機械的または電気的な時間タイマー等により定期的に作動させる方法が主である。
【発明の開示】
【発明が解決しようとする課題】
【０００３】  本発明は、植木植物へタイムリーで最良な水遣りを行うことで過給水、水不足等の発生がなくいつも最良な状態に保ち、自然エネルギー使用のエコでタイムリーに水やりを自動的に行う給水装置を提供する事を課題とする。
【課題を解決するための手段】
【０００４】  大気中の気温湿度に応じて水の蒸発量が比例することを応用し容器内に水を入れ大気中の湿度に応じて蒸発させ、容器内の水位変化を電気信号として検出し電磁弁を作動させタイムリーに最良な水遣りを行うことで過給水、水不足等の発生がなくいつも最良な状態に保つため、自然エネルギーの太陽光利用しエコでタイムリーな水やりを自動的に行う給水装置を提供する。
【発明の効果】
【０００５】植木植物へタイムリーで最良な水遣りを行うことが可能となり過給水、水不足等の不具合が少なくなりいつも最良な状態に保ち、自然エネルギー使用のエコでタイムリーに水やり実施が可能に成り植木植物にダメージを与えることが少なくなる。
【発明を実施するための最良の形態】
【０００６】以下、本発明にかかる湿度感知式給水装置の好適な実施の形態を添付する図１〜図５に基づき詳述する。図２の給水容器本体１に水を溜め図２の水蒸発布２の一方を容器内の水中に入れ他方を図２の布フレーム４の表面に広げる。水蒸発布２により毛細管現象により水が吸い上げられ容器内の水が蒸発し水位が低下する、この水位変化を図１の上部水位ＬＳ３ａ下部水位ＬＳ３ｂで水位変化を検出する。この上部水位ＬＳ３ａ下部水位ＬＳ３ｂの電気信号を図５の制御装置３９を介して図１の電磁弁５の開閉を行う。下部水位ＬＳ３ｂにより低水位を検出し電磁弁５を開く、給水入口５ａより給水を導き電磁弁５が開くことで給水が流れる。電磁弁５を出た給水の一部を図３の容器給水調整弁６から図３の切換弁７を通じ水が給水容器本体１に補給される。容器内の水位が上昇すると上部水位ＬＳ３ａにより閉信号を検出し電磁弁５を閉める。上部水位ＬＳ３ａ閉止信号が検出される間、図１の給水弁８より目的の場所に給水を行う。【０００７】電磁弁５の開閉時間は容器内の上部水位ＬＳ３ａ下部水位ＬＳ３ｂの作動範囲内の水量で決める。注入水量を調整するために容器給水調整弁６にて調整する。水量調整は作動水量を給水計量カップ１１で計量することで時間設定が可能となる。給水を１分間続ける場合は作動水量分を計量カップ１１に１分間で規定水量に成る様容器給水調整弁６で調整する。計量前に切換弁７の切換レバーを計量カップ側に切り替える。計量完了後は切換レバーを容器側に設定する。
水量計量時には電磁弁６の開閉を自由に開閉する必要がある。計量時は図１の操作スイッチ３１で手動側にスイッチを入れる、その時手動作業中を表示するため手動運転ランプ３２が点灯する。計量完了後は操作スイッチ３１の位置を停止位置に戻す。
目的物への給水は給水弁８を全開し給水出口８ａにホースを接続し必要分分岐して給水する。【０００８】電磁弁５の開閉時間設定し各設定が完了したら図１の操作スイッチ３１の位置を自動に切り替える。電磁弁が開時は自動運転ランプ３３が点灯する。電磁弁５が閉時は点灯しない。自動に設定後は容器内の水が蒸発することで自動的に運転される。【０００９】図２の電源ボックス３０内は２層で構成され下層はバッテリー３８制御装置３９チヤージコントローラ３７が収納されている。上層は操作スイッチ３１表示灯各コネクターが設置されている。太陽電池パネル４０よりコード４１を介してパネルコネクター３５に接続しコントローラ３７よりバッテリー３８に電力が供給され充電される。上層には１２ｖコンセント３６を設置し非常時の電源として使用可能としてある。【００１０】この装置は室内外で使用可能な構造と成っている。屋外設置の場合は図２の架台５０の上に給水容器本体１電源ボックス３０太陽電池パネル４０を一体として設置。屋外設置の場合は給水対象物の設置場所と同一の条件下に設置がベター。設置場所の日射が悪い場合は太陽電池パネル４０を架台５０より外し太陽電池パネル４０のみ日射の良好な場所に設置する。図２のコード４１は余裕を持った長さとする。屋内設置の場合は架台５０の上に給水容器本体１電源ボックス３０を設置し太陽電池パネル４０のみ屋外の日射の良好な場所に設置する。【００１１】  図１のオーバーフロー管１０は装置を屋外に設置した場合に雨天の場合水蒸発布２に雨が当たり雨水が容器内に逆流した時容器内に水の充満防止用に使用する。【００１２】本装置は給水入口５ａの給水圧力は２ｍ水柱から水道圧力まで接続可能。
給水圧力により水量が変わるためその都度設定の必要あり。
【図面の簡単な説明】
【００１３】
【図１】  湿度感知式給水装置概要を示す平面図である。
【図２】  湿度感知式給水装置概要を示す正面図である。
【図３】  湿度感知式給水装置概要を示す側面図である。
【図４】  切換弁のレバーの概要図である。
【図５】  制御装置の接続概要図である。
【符号の説明】
【００１４】    １      給水容器本体
２      水蒸発布
３ａ    上部水位ＬＳ
３ｂ    下部水位ＬＳ
４      布フレーム
５      電磁弁
５ａ    給水入口
６      容器給水調整弁
７      切換弁
８      給水弁
８ａ    給水出口
９      容器排水弁
１０      オーバーフロー管
１１      給水計量カップ
３０      電源ボックス
３１      操作スイッチ
３２      手動運転ランプ
３３      自動運示ランプ
３４      配線コネクター
３５      パネルコネクター
３６      １２ｖ予備コンセント
３７      チヤージコントローラ
３８      バッテリー
３９      制御装置
４０      太陽電池パネル
４１      コード
５０      架台
５１      パネル支持柱
５２      パネル固定ねじ
【図１】
2011155959.tif 000003
【図２】
2011155959.tif 000004
【図３】
2011155959.tif 000005
【図４】
2011155959.tif 000006
【図５】
2011155959.tif 000007
【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
容器内に入れた水を蒸発させることで容器内の水位変化が起こる、この変化を検出するためにレベルスイッチを１個以上複数個設置し、レベルスイッチは上限水位と下限水位を個別に検出可能とし、一方のレベルスイッチは水位検出位置を固定し他方のレベルスイッチは上下の位置設定調整可能機構を付けこの容器内水位を検出し水位変化を電気信号に変換せしめる、この電気信号で電磁弁の開閉を行う、容器内の上限水位で電磁弁を閉め下限水位で電磁弁を開く動作を行う、下限水位より水位上昇方法は電磁弁出口側の水の一部を容器に注入し水位を上昇させ電磁弁を閉める、開閉時間調整は容器への水注入量を変化させることで開閉時間を調整可能とし、電磁弁の作動時間間隔は上限水位と下限水位差内の水量と大気蒸発水量との関係で決まる、又電磁弁を出た水を切換弁により計量カップに導き、上限水位と下限水位差内の水量が所定時間で給水されるように水注入量を調整することで植物への給水時間を決め、給水時間確定後切換弁により水を容器へ導く事を特徴とする湿度感知式給水装置。
【請求項２】
容器内の水蒸発促進のために毛細管現象を起こす布を利用し一方を容器内の水中に他方は大気解放し蒸発面積を広くする事で大気蒸発水量を促進する、布の材質は特定しない事を特徴とする請求項１の湿度感知式給水装置。
【請求項３】
電磁弁の作動電源は太陽電池パネルを利用し電池を充電し作動電源として利用し、当該電池を災害時の非常電源として使用可能とした請求項１、又は２の湿度感知式給水装置。
【請求項４】
給水容器本体１電源ボックス３０太陽電池パネル４０架台５０は各々独立させ装置設置場所に対応した組合せが可能な事を特徴とする請求項３の湿度感知式給水装置
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
容器内に入れた水を蒸発させることで容器内の水位変化が起こる、この変化を検出するためにレベルスイッチを複数個設置し、レベルスイッチは上限水位と下限水位を個別に検出可能とし、一方のレベルスイッチは水位検出位置を固定し他方のレベルスイッチは上下の位置設定調整可能機構を付けこの容器内水位を検出し水位変化を電気信号に変換せしめる、この電気信号で電磁弁の開閉を行う、容器内の上限水位で電磁弁を閉め下限水位で電磁弁を開く動作を行う、下限水位より水位上昇方法は電磁弁出口側の水の一部を容器に注入し水位を上昇させ電磁弁を閉める、開閉時間調整は容器への水注入量を変化させることで開閉時間を調整可能とし、電磁弁の作動時間間隔は上限水位と下限水位差内の水量と大気蒸発水量との関係で決まる、又電磁弁を出た水を切換弁により計量カップに導き、上限水位と下限水位差内の水量が所定時間で給水されるように水注入量を調整することで植物への給水時間を決め、給水時間確定後切換弁により水を容器へ導く事を特徴とする湿度感知式給水装置。
【請求項２】
容器内の水蒸発促進のために毛細管現象を起こす布を利用し一方を容器内の水中に他方は大気解放し蒸発面積を広くする事で大気蒸発水量を促進する、布の材質は特定しない事を特徴とする請求項１の湿度感知式給水装置。
【請求項３】
電磁弁の作動電源は太陽電池パネルを利用し電池を充電し作動電源として利用し、当該電池を災害時の非常電源として使用可能とした請求項１、又は２の湿度感知式給水装置。
【請求項４】
給水容器本体１電源ボックス３０太陽電池パネル４０架台５０は各々独立させ装置設置場所に対応した組合せが可能な事を特徴とする請求項３の湿度感知式給水装置